【事件の表示】
　平成　８年特許願第２３５８４６号「表示装置」拒絶査定不服審判事件〔平成１０年　３月　６日出願公開、特開平１０−　６３２２０〕について、次のとおり審決する。
【結　論】
　本件審判の請求は、成り立たない。
【理　由】
１．手続きの経緯
  本願は、平成８年８月１９日の出願であって、平成１４年２月８日付けで拒絶査定がなされ、これに対して、同年３月２２日に拒絶査定に対する審判請求がなされるとともに、同年４月１２日付けで手続補正がなされたものである。
２．平成１４年４月１２日付けの手続補正についての補正却下の決定
［補正却下の決定の結論］
　平成１４年４月１２日付けの手続補正を却下する。
［理由］
（１）補正後の本願発明
　本件補正により、特許請求の範囲の請求項１は、
「フォントを表示するドットマトリックス単位を行列に並べたディスプレイの所定場所の前記ドットマトリックス単位に任意のフォントを表示指定する表示装置において、
　定形フォントの縦横のドット数に対し隣接するドットマトリックス単位の隙間を埋めるようにドット数を増やしたドットマトリックス単位を有するディスプレイと、
　前記ドット数を増やしたドットマトリックス単位に対応するドット数の図形を含むフォントＲＯＭとを備え、
　前記フォントＲＯＭより読み出した任意の単位の図形マトリックスデータを前記ディスプレイの指定されたドットマトリックス単位に表示することにより、前記ディスプレイに、着信があると異なる電話機図形を所定時間間隔で切り替えて表示し着信を知らせることを可能としたことを特徴とする表示装置。」
と補正された。
　上記補正は、請求項１を削除して、請求項２を繰り上げるとともに、請求項２中の「ディスプレイに、電話機図形を時間経過により変えて表示し着信を知らせる」点の記載を、「ディスプレイに、着信があると異なる電話機図形を所定時間間隔で切り替えて表示し着信を知らせる」と変更するものであるが、これは、発明を特定するために必要な事項である電話機図形の表示形態、表示間隔に関し、「異なる電話機図形を所定時間間隔で切り替えて表示」するとの限定を付加するものであって、特許請求の範囲の減縮に相当するものと認められる。
　したがって、上記補正は、特許法１７条の２第４項第１号の請求項の削除及び第２号の特許請求の範囲の減縮を目的とするものに該当する。
　そこで、本件補正後の前記請求項１に記載された発明（以下、「本願補正発明」という。）が、特許出願の際独立して特許を受けることができるものであるか（特許法１７条の２第５項において準用する同法第１２６条第４項の規定に適合するか）について以下に検討する。
（２）刊行物 
　原査定の拒絶の理由に引用された本願出願前に頒布された刊行物である特開平７−１９１６２５号公報（以下、「引用刊行物」という。）には、図面とともに、次の事項が記載されている。
「【０００６】なお、表示された文字パターンの視認性を向上させるために画素２０は、許容範囲内でできるだけ大きく形成されている。また、表示に関与しない各段の画素マトリクス２２間の部分には画素２０を設けず、所定の間隔が設けられている。これは、例えば配線のパターニングの容易性、液晶パネル１２の省電力化、及び複数段に同時に表示された全角文字パターンの行間を確保するためである。
【０００７】液晶パネル１２を駆動するためのＬＣＤドライバ１０には、キャラクタジェネレータ（以下ＣＧという）１４が設けられ、このＣＧ１４には、図１４に示すような所定の文字コードに対応した全角文字フォントが格納されている。即ち、図１４に示すように、ＣＧ１４には、画素マトリクス２２に表示される各全角文字パターンを横５×縦７のドットからなる全角文字フォントとして形成し、それぞれに、図の縦横の見出しに示すような上位４ｂｉｔ、下位４ｂｉｔからなる計８ｂｉｔの文字コードが付されて格納されている。
【０００８】上記表示装置において、所定の画素マトリクス２２に全角文字パターンを表示する場合には、ＣＧ１４に８ｂｉｔの所定の文字コードが送られ、この文字コードに対応した全角文字フォントが発生する。そして、この全角文字フォントに応じてコモン電極１６及びセグメント電極１８に所定の駆動電圧が印加され、各画素２０において、印加された駆動電圧に応じて液晶表示のオン・オフが行われて、図１５（ａ）に示すように、画素マトリクス２２に全角文字パターンが表示される。
【０００９】なお、例えば携帯機器や計算機用に用いられる小型の表示装置の場合には、装置全体の小型化や省電力化を実現するために、表示する画像情報量及び画素数を必要最小限にして液晶パネル等の面積を小さく、また全角文字パターンのみの表示をすることにより、ドライバの負担を軽減していた。
【００１０】一方で、表示装置の小型化が進むと、図１５（ｂ）に示すようにその有効表示面積、即ち各画素２０の面積が小さくなるため、表示される文字パターンが小さくなりその視認性が低下するという問題があった。そして、これを解決するための手段として、倍角文字表示を行う方法が提案されていた。
【００１１】
【発明が解決しようとする課題】しかしながら、従来の表示装置では、表示に関与しない段の間には画素２０が設けられておらず、段間には所定の間隔が設けられていた。従って、例えば複数段にわたって文字パターンを表示する縦倍角文字を表示する場合には、文字の中央部分が分断されてしまうこととなり、実質的に視認性を向上させることができなかった。
・・・・・
【００２５】画素マトリクスのうち、他段と近接配置される画素行の内、少なくとも１方の画素行を、倍角文字パターンの表示に際しては、前記倍角文字パターンの一部の表示に使用し、前記全角文字パターンの表示の際には、ブランク領域として使用することにより、複数段に同時に全角文字パターンを表示した場合には、全角文字パターンの段間に所定の表示間隔をとることができるので、文字パターンの視認性を向上させることができる。
・・・・・
【００３１】また、画素２０はマトリクス状に配置され、横５個×縦７個で１の全角文字パターンが表示可能であり、１の画素マトリクス２２を構成している。更に、本実施例に係る液晶パネル１２では、画素マトリクス２２が２段（コモン電極１６のCOM1〜COM7、COM9〜COM15 ）に設けられて、全角で８文字×２行（段）の文字パターンが表示可能となっている。
・・・・・
【００４６】（実施例２−１）実施例１では、図１及び図２に示すように上段の画素マトリクス２２と下段の画素マトリクス２２は、共に表示する全角文字パターンの下にカーソルを表示するためのカーソル行等が配置されていない。従って、実施例１の表示装置において、上段、下段に同時に全角文字パターンを表示する場合には、図４（ａ）に示すように、上段の画素マトリクス２２と下段の画素マトリクス２２との間に隙間がないため、上下の全角文字パターン３２が近接して表示されることとなり、全角文字パターンの表示時に文字パターンの視認性が低下してしまう。
【００４７】そこで、本実施例では、図４（ｂ）に示すように上段の画素マトリクス２２の最下部の画素行と、下段の画素マトリクス２２の最上部の画素行とを、全角文字パターン３２の表示に使用しないブランク領域３４として互いに近接配置した。これにより、図３のように液晶パネル１２の上下段に同時に全角文字パターン３２を表示しても、各文字パターンの視認性が低下することがない。
【００４８】倍角文字パターン３０を表示をする場合には、実施例１に記載したように、表示に関与する上下２段の各画素マトリクス２２に対して、コモン電極１６及びセグメント電極１８に所定の電気信号が印加されることにより、一段目の画素マトリクス２２には対応する倍角上パターンが表示され、二段目の画素マトリクス２２には倍角下パターンが表示される。そして、図４（ｃ）に示すように、ブランク領域３４も、それぞれ所定の倍角文字パターンの一部を分担して表示している。
【００４９】従って、全角文字パターン３２の視認性を低下させることなく、倍角文字パターン３０を表示することができる。
【００５０】この場合、ＣＧ１４に格納されている全角文字フォントには、文字データ領域（例えば横５×縦７のドットパターン）と、ブランク領域３４とが設けられ、このブランク領域３４のアドレスには、表示をオフするための“０”がプログラムされている。
【００５１】一方、各段毎に分割されている倍角用文字フォントでは、このブランク領域のアドレスに所定のドットパターンを表示するためのデータがプログラムされている。従って、全角文字パターン３２を表示する際にはブランク領域３４には何も表示されず、倍角文字パターン３０を表示する際には、ブランク領域３４は倍角文字パターン３０の一部分を分担して表示している。
・・・・・
【００７１】（実施例３）
（実施例３−１）次に、実施例２とは更に別の配線パターンがなされた液晶表示装置の例について図９を用いて説明する。なお、既に説明した図と同一部分には同一符号を付し
て説明を省略する。
【００７２】本実施例の特徴は、実施例２のブランク領域をコモン電極１６のCOM8上に形成された画素２０のみで構成し、上段の画素マトリクス２２と下段の画素マトリク
ス２２とを近接配置、即ち、コモン電極１６のCOM8とCOM9とに係る画素２０を近
接配置した点である。
・・・・・
【００８５】以上実施例１、実施例２及び実施例３において、画素マトリクスは全て上下２段として説明したがこれには限らず、互いに近接配置された画素マトリクスが更に複数段設けられていてもよい。この場合、例えば、縦方向に３倍角の文字パターンを表示するには、ＣＧに段毎に分割した計３つの３倍角用文字フォントを格納しておけばよい。
【００８６】また、上記実施例においては倍角文字パターンは縦倍角文字パターンを例にとって説明したが、これには限らず、各種倍角文字パターンを画素マトリクス毎に分割してＣＧ等に格納しておくことにより、横倍角・４倍角・ｍ×ｎ倍角表示にも適用可能である。」
　上記の記載から、以下の各事項が読みとれる。
（ａ）段落【０００６】、【０００９】〜【００１１】及び【００２５】の記載から、「表示に関与しない各段の画素マトリクス２２間の部分には画素２０を設けず、所定の間隔が設けられている表示装置では、複数段にわたって文字パターンを表示する縦倍角文字を表示する場合には、文字の中央部分が分断されてしまうこととなるため、引用刊行物記載の表示装置は、画素マトリクスのうち、他段と近接配置される画素行の内、少なくとも１方の画素行を、倍角文字パターンの表示に際しては、前記倍角文字パターンの一部の表示に使用し、前記全角文字パターンの表示の際には、ブランク領域として使用することにより、複数段に同時に全角文字パターンを表示した場合には、全角文字パターンの段間に所定の表示間隔をとることができるようにしたこと」
（ｂ）段落【００３１】及び【００８５】の記載から、「画素マトリクス２２は、横５個×縦７個のマトリクス状に配置された画素２０から構成され、液晶パネル１２は、１段に複数の画素マトリックス２２を横に並べた複数段の画素マトリックスから構成されるものであること」
（ｃ）段落【０００７】及び【０００８】の記載から、「キャラクタジェネレータ（ＣＧ）１４には、画素マトリクス２２に表示される各全角文字パターンが横５×縦７のドットからなる全角文字フォントとして、それぞれに、文字の指定に用いられる８ｂｉｔの文字コードが付されて格納されていること」
（ｄ）段落【００４６】〜【００５１】、【００７１】、【００７２】及び【００８６】の記載から、
・「縦倍角文字パターン３０を表示をする場合には、表示に関与する上下２段の各画素マトリクス２２の一段目の画素マトリクス２２には対応する倍角上パターンが表示され、二段目の画素マトリクス２２には倍角下パターンが表示されることから、倍角上パターン及び倍角下パターン対応する倍角用文字フォントが、それぞれに、文字の指定に用いられる８ｂｉｔの文字コードが付されてＣＧ１４に格納されていること」
・「縦倍角表示に対応するため、画像マトリックス２２の最上部及び最下部の画素行、又は、画素マトリクスの最下部の画素行のみを全角文字パターン３２の表示に使用しないブランク領域３４として設け、ＣＧ１４に格納されている文字フォントについても、文字データ領域（例えば横５×縦７のドットパターン）と、ブランク領域とを設けて、全角パターンについてはブランク領域には、表示をオフするための“０”がプログラムされ、縦倍角文字パターンについては、このブランク領域に倍角文字パターンの一部を分担して表示するため所定のドットパターンの表示データがプログラムされていること」
・「横倍角表示に対応するため、画像マトリックス２２の左右両端部の画素列、又は、右端部の画素列のみを全角文字パターン３２の表示に使用しないブランク領域３４とし、ＣＧ１４に格納されている文字フォントについても縦倍角表示の場合と同様、対応するブランク領域を設けること」
・「４倍角、ｍ×ｎ倍角等の各種倍角パターンを画素マトリックス毎に分割してＣＧ等に格納しておくことにより、任意の倍角表示へも適用可能であること」
（３）対比
　本願補正発明（前者）と上記引用刊行物記載の発明（後者）とを対比する。
　後者の「画素マトリックス２２」は、全角文字パターン３２を表示するためのマトリックス状に配置された画素に、縦横に隣接して画素行、画素列をブランク領域として付加したものであり、また、それに対応して、「文字フォント」についても、全角パターンを表示するドットパターンの縦横に隣接してブランク領域が設けられており、これにより全角パターン表示の場合にはブランク領域を非表示として表示間隔をとるようにし、倍角パターン表示の際には、ブランク領域を倍角パターンの一部の表示に使用することができるものである。一方、前者の、定形フォントは全角文字等を表示するためのものであり、定型フォントの縦横のドット数に対し隣接するドットマトリックス単位の隙間を埋めるようにドット数を増やしたドットマトリックス単位は、縦倍角文字等を表示する場合には、上下のドットマトリックス単位を組み合わせて表示がなされるものである。
　したがって、後者の「全角パターン」が、前者の「定型フォント」に相当し、後者の「画素マトリックス２２」は、全角パターンを表す画素に縦横に隣接して画素行、画素列をブランク領域として付加したものであるから、前者の「定形フォントの縦横のドット数に対し隣接するドットマトリックス単位の隙間を埋めるようにドット数を増やしたドットマトリックス単位」に相当し、後者の「液晶パネル１２」は、複数の画素マトリックス２２を横に並べた複数段の画素マトリックスから構成されるものであるから、前者の「ディスプレイ」に相当する。また、後者の「キャラクタジェネレータ（ＣＧ）１４」と前者の「フォントＲＯＭ」は、それぞれ、「文字フォント」、「ドット数を増やしたドットマトリックス単位に対応するドット数のフォント」を格納しているものであるから、フォント格納手段に相当する。
　以上より、両者は、
「フォントを表示するドットマトリックス単位を行列に並べたディスプレイの所定場所の前記ドットマトリックス単位に任意のフォントを表示指定する表示装置において、
　定形フォントの縦横のドット数に対し隣接するドットマトリックス単位の隙間を埋めるようにドット数を増やしたドットマトリックス単位を有するディスプレイと、
　前記ドット数を増やしたドットマトリックス単位に対応するドット数のフォントを格納するフォント格納手段とを備え、
　前記フォント格納手段より読み出した任意の単位のマトリックスデータを前記ディスプレイの指定されたドットマトリックス単位に表示することを特徴とする表示装置」
　の点の構成で一致し、以下の点で相違する。
［相違点１］　　
　フォント格納手段を、前者がＲＯＭとし、また、フォント中に任意の単位の図形マトリックスデータを表示するための図形パターンを含んでいるのに対し、後者は、この点について明示されていないこと。
［相違点２］　
   前者が、着信があると異なる電話機図形を所定時間間隔で切り替えて表示し着信を知らせることを可能としているのに対し、後者はこのような構成を有していないこと。
（４）当審の判断
　上記各相違点について検討する。
 ［相違点１］について
　フォントデータをＲＯＭに格納すること、及び、フォントにマトリックス配列したドットにより文字の他に、図形を表現する部分パターンを含み、この部分パターンの組み合わせで図形等を表示することは、例えば、特開平７−４４１５３号公報、特開昭５６−１５５９８９号公報、実願昭５５−７４４６３号（実開昭５６−１７５７９１号）のマイクロフィルム、特開昭５７−９７４９０号公報等に示されるように従来周知のものであり、相違点１は、このような周知事項を記載したか否かの差異にすぎない。
 「相違点２」について
　電話のパターン等で表された着信表示を、所定周期で断続させる等、所定時間間隔で表示形態を切り替えて行うことは、たとえば、特開平１−１２５０５２号公報、特開平６−２３２９４８号公報等に示されるように従来周知の事項であり、また、所定の時間間隔で異なる図形を切り替えて表示し、アニメーションでアラーム表示を行うことも、上記相違点１の検討において例示した上記特開昭５７−９７４９０号公報等にも示されているように周知の事項に過ぎないから、異なる電話機図形を所定時間間隔で切り替えて表示する点にも格別のものは認められない。
  そして、本願補正発明による効果も、引用刊行物の記載から当業者が容易に予測しうる範囲のものにすぎない。（なお、請求人は、審判請求書の「請求の理由」において、「本願発明の表示装置は、電話機図形が動画のように表示されるので、着信があった際、リンガー鳴動と共にそれを表す動的表示を確認できるばかりか、もし、リンガー鳴動がセットされておらず、バイブレーション（振動）モードとなっていても、ユーザは振動または動的表示のいずれかにより、着信中であるとの感覚を得ることができるという本願特有の効果を奏する。」旨主張しているが、「リンガー鳴動」及び「バイブレーションモード」を裏付ける構成は、本願補正発明に含まれておらず、請求人の主張する上記効果は、本願補正発明の構成から生ずる効果とは認められないから、請求人の上記主張は採用しない。）
  したがって、本願補正発明は、引用刊行物に記載された発明及び周知技術に基づいて当業者が容易に発明をすることができたものであり、特許法第２９条第２項の規定により特許出願の際独立して特許を受けることができないものである。
 （５）むすび
  以上のとおり、本件補正は、特許法１７条の２第５項において準用する同法１２６条第４項の規定に違反するものであり、特許法１５９条第１項において準用する同法５３条第１項の規定により却下されるべきものである。
３．本願発明について
　平成１４年４月１２日付けの手続補正は、上記のとおり却下されたので、本願の請求項１及び請求項２に係る発明は、平成１４年１月１８日付け手続補正書の特許請求の範囲に記載された次のとおりのものである。　
 「【請求項１】フォントを表示するドットマトリックス単位を行列に並べたディスプレイの所定場所の前記ドットマトリックス単位に任意のフォントを表示指定する表示装置において、
　定形フォントの縦横のドット数に対し隣接するドットマトリックス単位の隙間を埋めるようにドット数を増やしたドットマトリックス単位を有するディスプレイと、
　前記ドット数を増やしたドットマトリックス単位に対応するドット数の図形の部分を含むフォントＲＯＭとを備え、
　前記フォントＲＯＭより読みだした任意の単位の図形マトリックスデータを前記ディスプレイの指定されたドットマトリックス単位に表示することを特徴とする表示装置。
　【請求項２】フォントを表示するドットマトリックス単位を行列に並べたディスプレイの所定場所の前記ドットマトリックス単位に任意のフォントを表示指定する表示装置において、
　定形フォントの縦横のドット数に対し隣接するドットマトリックス単位の隙間を埋めるようにドット数を増やしたドットマトリックス単位を有するディスプレイと、
　前記ドット数を増やしたドットマトリックス単位に対応するドット数の図形の部分を含むフォントＲＯＭとを備え、
　前記フォントＲＯＭより読みだした任意の単位の図形マトリックスデータを前記ディスプレイの指定されたドットマトリックス単位に表示することにより、前記ディスプレイに、電話機図形を時間経過により変えて表示し着信を知らせることを可能としたことを特徴とする表示装置。」
（１）刊行物
　原査定の拒絶の理由に引用された引用例、及び、その記載事項は、前記「２．（２）」に記載したとおりのものである。
（２）対比・判断
　請求項２記載の発明は、前記２．で検討した本願補正発明から、電話機図形の表示形態、表示間隔に関する限定事項である 「異なる電話機図形を所定時間間隔で切り替えて表示」する点を省き、「電話機図形を時間経過により変えて表示」するものである。
 また、請求項１記載の発明は、請求項２記載の発明から、「前記ディスプレイに、電話機図形を時間経過により変えて表示し着信を知らせることを可能とした」点の構成を省いたものである。
  そうすると、請求項１記載の発明及び請求項２記載の発明の構成要件を全て含み、更に他の構成要件を付加したものに相当する本願補正発明が、前記「２．（４）」に記載したとおり引用刊行物記載の発明及び周知技術に基づいて、当業者が容易に発明をすることができたものであるから、請求項１記載の発明及び請求項２記載の発明も、同様の理由により、引用刊行物記載の発明及び周知技術に基づいて、当業者が容易に発明をすることができたものである。
（３）むすび
　以上のとおり、請求項１記載の発明及び請求項２記載の発明は、引用刊行物記載の発明及び周知技術に基づいて、当業者が容易に発明をすることができたものであり、特許法２９条第２項の規定により特許を受けることができない。
　よって、結論のとおり審決する。